(57)【要約】  【解決手段】  表示装置およびそのフィルタ（１）であって、前記フィルタ（１）は、誘電体層（１１）および前記誘電体層（１１）上に設けられるワイヤグリッド構造アレイを備え、各ワイヤグリッド構造（１２ａ）は、第１ワイヤグリッドユニット（１２０）と、第２ワイヤグリッドユニット（１２１）と、第３ワイヤグリッドユニット（１２２）と、第４ワイヤグリッドユニット（１２３）とを含み、前記第１ワイヤグリッドユニット（１２０）、第２ワイヤグリッドユニット（１２１）、第３ワイヤグリッドユニット（１２２）、および第４ワイヤグリッドユニット（１２３）はそれぞれ、間隔をあけて配置される複数のワイヤグリッド（１００）を含み、前記第１ワイヤグリッドユニット（１２０）、第２ワイヤグリッドユニット（１２１）、第３ワイヤグリッドユニット（１２２）、および第４ワイヤグリッドユニット（１２３）のグリッド間隔はいずれも異なっており、前記第１ワイヤグリッドユニット（１２０）、第２ワイヤグリッドユニット（１２１）、第３ワイヤグリッドユニット（１２２）、および第４ワイヤグリッドユニット（１２３）はそれぞれ、入射光を濾光して４つの異なる色の光を得るために用いられる。上記表示装置およびそのフィルタ（１）は、Ｒサブ画素、Ｇサブ画素、およびＢサブ画素で合成される白色光の色度座標と、Ｗサブ画素の白色光の色度座標とを整合させることができる。
2019526831.tif 000002
【特許請求の範囲】
【請求項１】
フィルタであって、誘電体層および前記誘電体層上に設けられるワイヤグリッド構造アレイを備え、前記ワイヤグリッド構造アレイは複数のワイヤグリッド構造を有し、各前記ワイヤグリッド構造は、第１ワイヤグリッドユニットと、第２ワイヤグリッドユニットと、第３ワイヤグリッドユニットと、第４ワイヤグリッドユニットとを含み、前記第１ワイヤグリッドユニット、第２ワイヤグリッドユニット、第３ワイヤグリッドユニット、および第４ワイヤグリッドユニットはそれぞれ、間隔をあけて配置される複数のワイヤグリッドを含み、前記第１ワイヤグリッドユニット、第２ワイヤグリッドユニット、第３ワイヤグリッドユニット、および第４ワイヤグリッドユニットのグリッド間隔はいずれも異なっており、前記第１ワイヤグリッドユニット、第２ワイヤグリッドユニット、第３ワイヤグリッドユニット、および第４ワイヤグリッドユニットはそれぞれ、入射光を濾光して４つの異なる色の光を得るために用いられる、フィルタ。
【請求項２】
請求項１に記載のフィルタにおいて、前記第１ワイヤグリッドユニット、第２ワイヤグリッドユニット、第３ワイヤグリッドユニットのグリッド間隔が順次縮小されている、フィルタ。
【請求項３】
請求項２に記載のフィルタにおいて、前記ワイヤグリッドは、前記誘電体層および前記ワイヤグリッドに対して直交する方向における断面の形状が、方形、台形または三角形である、フィルタ。
【請求項４】
請求項１に記載のフィルタにおいて、前記ワイヤグリッドの材質が、アルミニウム、銀、または金である、フィルタ。
【請求項５】
表示装置であって、バックライトモジュールおよび前記バックライトモジュール上に順次設けられる下基板と、液晶層と、上基板とを含み、前記上基板は、ベースと、前記ベース上に位置する上偏光板とを含み、前記下基板は、下偏光板と、前記下偏光板上に位置するＴＦＴアレイとを含み、前記下基板は、さらに、請求項１に記載のフィルタを含み、前記フィルタは前記ＴＦＴアレイ上に設けられ、前記ワイヤグリッド構造アレイは、前記誘電体層と前記液晶層との間に位置し、前記第１ワイヤグリッドユニット、第２ワイヤグリッドユニット、第３ワイヤグリッドユニット、および第４ワイヤグリッドユニットはそれぞれ、入射光を濾光して色が赤色のＲサブ画素、色が緑色のＧサブ画素、色が青色のＢサブ画素、および色が白色のＷサブ画素を得るために用いられる、表示装置。
【請求項６】
請求項５に記載の表示装置において、前記第１ワイヤグリッドユニット、第２ワイヤグリッドユニット、第３ワイヤグリッドユニットのグリッド間隔が順次縮小されている、表示装置。
【請求項７】
請求項６に記載の表示装置において、前記第１ワイヤグリッドユニットは、入射光を濾光してＲサブ画素を得るために用いられ、前記第２ワイヤグリッドユニットは、入射光を濾光してＧサブ画素を得るために用いられ、前記第３ワイヤグリッドユニットは、入射光を濾光してＢサブ画素を得るために用いられ、前記第４ワイヤグリッドユニットは、入射光を濾光してＷサブ画素を得るために用いられる、表示装置。
【請求項８】
請求項５に記載の表示装置において、各ワイヤグリッドユニットにおけるワイヤグリッドの長さが同じである、表示装置。
【請求項９】
請求項５に記載の表示装置において、いずれか２つの隣り合う前記第１ワイヤグリッドユニット、第２ワイヤグリッドユニット、第３ワイヤグリッドユニット、および第４ワイヤグリッドユニット間の間隔が同じである、表示装置。
【請求項１０】
請求項５に記載の表示装置において、前記表示装置がさらにＯＣ平坦化層を備え、前記ＯＣ平坦化層は前記ベースと前記液晶層との間に位置する、表示装置。
【請求項１１】
請求項６に記載の表示装置において、前記表示装置がさらにＯＣ平坦化層を備え、前記ＯＣ平坦化層は前記ベースと前記液晶層との間に位置する、表示装置。
【請求項１２】
請求項７に記載の表示装置において、前記表示装置がさらにＯＣ平坦化層を備え、前記ＯＣ平坦化層は前記ベースと前記液晶層との間に位置する、表示装置。
【請求項１３】
請求項８に記載の表示装置において、前記表示装置がさらにＯＣ平坦化層を備え、前記ＯＣ平坦化層は前記ベースと前記液晶層との間に位置する、表示装置。
【請求項１４】
請求項９に記載の表示装置において、前記表示装置がさらにＯＣ平坦化層を備え、前記ＯＣ平坦化層は前記ベースと前記液晶層との間に位置する、表示装置。
【発明の詳細な説明】
【技術分野】
【０００１】
本発明はタッチパネル製造技術の分野に関し、特に表示装置およびそのフィルタに関する。
【背景技術】
【０００２】
ＲＧＢＷ表示技術は、従来のＲＧＢカラーレジスト配列をベースに、白色Ｗサブ画素を追加することで、ＲＧＢカラーレジストの透過率が１／３未満であるのに対し、Ｗサブ画素材料の透過率は１に近いため、ＲＧＢ画素配列よりも高輝度、低消費電力であるという利点を有している。従来のＲＧＢＷ液晶表示装置で白色画面を表示する場合、バックライトが下偏光板、ガラス層、液晶層を通過後、ＣＦ層に入る前において、白色光のエネルギースペクトル分布は同一であるが、ＲＧＢサブ画素を経て合成される白色光は、異なる着色剤レジストを透過した混合光の効果となる。ＲＧＢＷディスプレイでは、ＲＧＢディスプレイと同一または類似のＲ／Ｇ／Ｂカラーレジストが用いられるため、その静的なＲ／Ｇ／Ｂの色度座標と色域は、従来のＲＧＢディスプレイと一致するように調整することができる。しかし、Ｗサブ画素は材料が一種のみであり、通常は工程を統合する観点から慣用のＯＣ材料が用いられ、白色光の色度座標を正確に調整することは実現が困難であり、このためＲＧＢサブ画素で合成される白色光と、Ｗ白色光とには、エネルギースペクトル分布および白色点の座標が異なるという問題が存在し、適切な手段を用いてＲＧＢサブ画素で合成される白色光の色度座標と、Ｗ白色光の色度座標とを整合させる必要がある。  
【発明の概要】
【課題を解決するための手段】
【０００３】
本発明は、従来技術の欠点を解消するため、Ｒサブ画素、Ｇサブ画素、およびＢサブ画素で合成される白色光の色度座標と、Ｗサブ画素の白色光の色度座標とを整合させることのできる表示装置およびそのフィルタを提供する。
【０００４】
本発明で提供される具体的な技術手段は次の通りである。誘電体層および前記誘電体層上に設けられるワイヤグリッド構造アレイを備えるフィルタを提供し、前記ワイヤグリッド構造アレイは、複数のワイヤグリッド構造を有し、各前記ワイヤグリッド構造は、第１ワイヤグリッドユニットと、第２ワイヤグリッドユニットと、第３ワイヤグリッドユニットと、第４ワイヤグリッドユニットとを含み、前記第１ワイヤグリッドユニット、第２ワイヤグリッドユニット、第３ワイヤグリッドユニット、および第４ワイヤグリッドユニットはそれぞれ、間隔をあけて配置される複数のワイヤグリッドを有し、前記第１ワイヤグリッドユニット、第２ワイヤグリッドユニット、第３ワイヤグリッドユニット、および第４ワイヤグリッドユニットのグリッド間隔はいずれも同じではなく、前記第１ワイヤグリッドユニット、第２ワイヤグリッドユニット、第３ワイヤグリッドユニット、および第４ワイヤグリッドユニットはそれぞれ、入射光を濾光して４つの異なる色の光を得るために用いられる。
【０００５】
選択的に、前記第１ワイヤグリッドユニット、第２ワイヤグリッドユニット、第３ワイヤグリッドユニットのユニットのグリッド間隔は順次縮小されている。
【０００６】
選択的に、前記ワイヤグリッドは、前記誘電体層および前記ワイヤグリッドに対して直交する方向における断面の形状が、方形、台形、または三角形である。
【０００７】
選択的に、前記ワイヤグリッドの材質は、アルミニウム、銀、または金である。
【０００８】
本発明ではさらに、バックライトモジュールおよび前記バックライトモジュール上に順次設けられる下基板と、液晶層と、上基板とを備え、前記上基板は、ベースと、前記ベース上に位置する上偏光板とを有し、前記下基板は、下偏光板と、前記下偏光板上に位置するＴＦＴアレイとを有する表示装置を提供しており、前記下基板は、さらに、上述のフィルタを備え、前記フィルタは前記ＴＦＴアレイ上に設けられ、前記ワイヤグリッド構造アレイは前記誘電体層と前記液晶層との間に位置し、前記第１ワイヤグリッドユニット、第２ワイヤグリッドユニット、第３ワイヤグリッドユニット、および第４ワイヤグリッドユニットはそれぞれ、入射光を濾光して、色が赤色のＲサブ画素、色が緑色のＧサブ画素、色が青色のＢサブ画素、および色が白色のＷサブ画素を得るために用いられる。
【０００９】
選択的に、前記第１ワイヤグリッドユニット、第２ワイヤグリッドユニット、第３ワイヤグリッドユニットのグリッド間隔は順次縮小されている。
【００１０】
選択的に、前記第１ワイヤグリッドユニットは、入射光を濾光してＲサブ画素を得るために用いられ、前記第２ワイヤグリッドユニットは、入射光を濾光してＧサブ画素を得るために用いられ、前記第３ワイヤグリッドユニットは、入射光を濾光してＢサブ画素を得るために用いられ、前記第４ワイヤグリッドユニットは、入射光を濾光してＷサブ画素を得るために用いられる。
【００１１】
選択的に、各ワイヤグリッドユニットにおけるワイヤグリッドは長さが同じである。
【００１２】
選択的に、いずれか２つの隣り合う前記第１ワイヤグリッドユニット、第２ワイヤグリッドユニット、第３ワイヤグリッドユニット、および第４ワイヤグリッドユニット間の間隔は同じである。
【００１３】
選択的に、前記表示装置はさらにＯＣ平坦化層を備え、前記ＯＣ平坦化層は前記ベースと前記液晶層との間に位置している。  
【発明の効果】
【００１４】
本発明で提供される表示装置およびそのフィルタにおいて、前記フィルタは、第１ワイヤグリッドユニット、第２ワイヤグリッドユニット、第３ワイヤグリッドユニット、および第４ワイヤグリッドユニットを備え、第１ワイヤグリッドユニット、第２ワイヤグリッドユニット、第３ワイヤグリッドユニット、および第４ワイヤグリッドユニットのうち２つの隣り合うワイヤグリッドのグリッド間隔およびワイヤグリッドの幅を調整することにより、Ｒサブ画素、Ｇサブ画素、およびＢサブ画素で合成される白色光の色度座標と、Ｗサブ画素の白色光の色度座標とを整合させる。
【図面の簡単な説明】
【００１５】
【図１】図１は、実施例１における表示装置の偏光板の構造概略図である。
【図２】図２は、図１中の偏光板のワイヤグリッド層の構造概略図である。
【図３】図３は、実施例１における表示装置の構造概略図である。
【図４】図４は、実施例１におけるＲサブ画素、Ｇサブ画素、Ｂサブ画素、およびＷサブ画素に対応する異なる波長の透過率である。
【図５】図５は、Ｒサブ画素、Ｇサブ画素、およびＢサブ画素で合成される白色光の色度座標と、Ｗサブ画素の白色光の色度座標との整合方法のフロー図である。
【図６】図６は、実施例２における表示装置の構造概略図である。
【発明を実施するための形態】
【００１６】
以下、図面を参照し本発明の実施例を詳しく説明する。但し、本発明は複数の異なる態様により実施することができ、また本発明はここで説明する具体的な実施例に限定されるものと解釈されるべきではない。逆に、これらの実施例を提供するのは、本発明の原理およびその実用性を解釈して、本発明の様々な実施例および特定の意図する用途に適合する様々な変更を、当業者が理解できるようにするためである。図中、同一の符号は常に同一の要素を示すことに用いられる。
【実施例１】
【００１７】
図１、図２に示すように、本実施例ではフィルタ１を提供しており、それは誘電体層１１および誘電体層１１上に設けられたワイヤグリッド層１２を備え、ワイヤグリッド層１２上にはワイヤグリッド構造アレイが設けられ、ワイヤグリッド構造アレイは複数のワイヤグリッド構造１２ａを有し、図２には、ワイヤグリッド層１２が一ワイヤグリッド構造１２ａを有する態様が示されており、各ワイヤグリッド構造１２ａは、第１ワイヤグリッドユニット１２０、第２ワイヤグリッドユニット１２１、第３ワイヤグリッドユニット１２２、および第４ワイヤグリッドユニット１２３を含み、第１ワイヤグリッドユニット１２０、第２ワイヤグリッドユニット１２１、第３ワイヤグリッドユニット１２２、および第４ワイヤグリッドユニット１２３はそれぞれ、間隔をあけて配置される複数のワイヤグリッド１００を有し、ここで、第１ワイヤグリッドユニット１２０、第２ワイヤグリッドユニット１２１、第３ワイヤグリッドユニット１２２、および第４ワイヤグリッドユニット１２３のグリッド間隔はいずれも同じではなく、第１ワイヤグリッドユニット１２０、第２ワイヤグリッドユニット１２１、第３ワイヤグリッドユニット１２２、および第４ワイヤグリッドユニット１２３はグリッド間隔が異なるため、入射光は、第１ワイヤグリッドユニット１２０、第２ワイヤグリッドユニット１２１、第３ワイヤグリッドユニット１２２、および第４ワイヤグリッドユニット１２３により濾光され、４つの異なる色の光が得られる。
【００１８】
誘電体層１１は、屈折率が変調された多層誘電体構造であり、誘電体層１１は、第１屈折率変調層１１０、第１屈折率変調層１１０上に設けられる第２屈折率変調層１１１、および第２屈折率変調層１１１とワイヤグリッド層１２との間に設けられる第３屈折率変調層１１２を含むことが好ましい。ここで、第１屈折率変調層１１０と第３屈折率変調層１１２の屈折率は、第２屈折率変調層１１１よりも低く、第１屈折率変調層１１０と第３屈折率変調層１１２の材質は、ＳｉＯ２、ＳｉＯ、ＭｇＯ等であってもよく、第２屈折率変調層１１１の材質は、Ｓｉ３Ｎ４、ＴｉＯ２、Ｔａ２Ｏ５等であってもよい。
【００１９】
具体的には、第１ワイヤグリッドユニット１２０、第２ワイヤグリッドユニット１２１、第３ワイヤグリッドユニット１２２、および第４ワイヤグリッドユニット１２３のグリッド間隔は順次縮小されている。ワイヤグリッド層１２は、ワイヤグリッド構造アレイおよびブラックマトリクスユニット１２ｂを有し、ブラックマトリクスユニット１２ｂは、第１ワイヤグリッドユニット１２０、第２ワイヤグリッドユニット１２１、第３ワイヤグリッドユニット１２２、および第４ワイヤグリッドユニット１２３の間に位置し、ブラックマトリクスユニット１２ｂは光を透過させず、第１ワイヤグリッドユニット１２０、第２ワイヤグリッドユニット１２１、第３ワイヤグリッドユニット１２２、および第４ワイヤグリッドユニット１２３の側面の光漏れを防止するために用いられる。各ワイヤグリッドユニットにおけるワイヤグリッド１００の幅およびグリッド間隔は同一であり、異なるワイヤグリッドユニット間のグリッド間隔は同一ではない。ワイヤグリッド層１２の材質は、屈折率の虚部が大きい材料であり、例えばアルミニウム、銀、または金等であって、ワイヤグリッド層１２の材質としてはアルミニウムが好ましい。
【００２０】
ここで、第１ワイヤグリッドユニット１２０、第２ワイヤグリッドユニット１２１、第３ワイヤグリッドユニット１２２、および第４ワイヤグリッドユニット１２３におけるワイヤグリッドの周期は２００ｎｍ〜５００ｎｍであり、ここでワイヤグリッドの周期とは、２つの隣り合うワイヤグリッド１００の幾何学的中心間の距離を意味し、ワイヤグリッド１００の幅は、ワイヤグリッドの周期の０．４〜０．９倍であり、ワイヤグリッド１００の高さは２０ｎｍ〜２００ｎｍである。ワイヤグリッド１００は尺状であり、誘電体層１１およびワイヤグリッド１００に対して直交する方向における断面の形状が、方形、台形または三角形であり、異なるワイヤグリッドユニットにおけるワイヤグリッド１００の長さは同一である。
【００２１】
各ワイヤグリッドユニットのグリッド間隔、ワイヤグリッド１００の幅、ワイヤグリッド１００の高さ、およびワイヤグリッド１００の材質を変更することにより、異なる色の光が得られるとともに、各ワイヤグリッドユニットの光透過率を向上させることができる。
【００２２】
図３に示すように、本実施例ではさらに表示装置を提供しており、それはバックライトモジュール２およびバックライトモジュール２上に順次設けられる下基板、液晶層３、および上基板を備え、上基板は、ベース４およびベース４上に位置する上偏光板５を有し、下基板は、下偏光板６、上記フィルタ１、およびＴＦＴアレイ７を有し、ＴＦＴアレイ７は下偏光板６上に位置し、フィルタ１はＴＦＴアレイ７と液晶層３との間に位置し、ワイヤグリッド層１２は、誘電体層１１と液晶層３との間に位置している。ここで、上偏光板５の偏光方向は、下偏光板６の偏光方向に対して垂直であり、バックライトモジュール２は、サイド入射型バックライトモジュール構造または直下型バックライトモジュール構造である。バックライトモジュール２の発光した光がワイヤグリッド層１２に入射すると、ブラックマトリクスユニット１２ｂおよびワイヤグリッド１００に入射した光は吸収され、残りの入射光は、各ワイヤグリッドユニットにおける２つの隣り合うワイヤグリッド１００の間を貫通するとともに、第１ワイヤグリッドユニット１２０、第２ワイヤグリッドユニット１２１、第３ワイヤグリッドユニット１２２、および第４ワイヤグリッドユニット１２３がそれぞれ、それを濾光して、色が赤色のＲサブ画素、色が緑色のＧサブ画素、色が青色のＢサブ画素、および色が白色のＷサブ画素が得られ、例えば、第１ワイヤグリッドユニット１２０が入射光を濾光して、Ｒサブ画素が得られ、第２ワイヤグリッドユニット１２１が入射光を濾光して、Ｇサブ画素が得られ、第３ワイヤグリッドユニット１２２が入射光を濾光して、Ｂサブ画素が得られ、第４ワイヤグリッドユニット１２３が入射光を濾光して、Ｗサブ画素が得られ、このように入射光が各ワイヤグリッド構造１２ａを通ることで、Ｒ、Ｇ、Ｂ、およびＷの４つのサブ画素を得ることができ、この４つのサブ画素が、表示装置の一画素を形成する。
【００２３】
図４に示すように、本実施例の表示装置におけるワイヤグリッド層１２は、材質がアルミニウム、第１ワイヤグリッドユニット１２０におけるワイヤグリッドの周期が４００ｎｍ〜５００ｎｍ、第２ワイヤグリッドユニット１２１におけるワイヤグリッドの周期が３００ｎｍ〜４５０ｎｍ、第３ワイヤグリッドユニット１２２におけるワイヤグリッドの周期が２００ｎｍ〜３５０ｎｍ、第４ワイヤグリッドユニット１２３におけるワイヤグリッドの周期が２００ｎｍ〜５００ｎｍであることが好ましい。この設定により、第１ワイヤグリッドユニット１２０の赤色光波長域に対応する中心ピーク箇所の透過率、第２ワイヤグリッドユニット１２１の緑色光波長域に対応する中心ピーク箇所の透過率、および第３ワイヤグリッドユニット１２２の青色光波長域に対応する中心ピーク箇所の透過率が、それぞれ７０％を上回り、波長域外の最低透過率が１０％未満になる。第４ワイヤグリッドユニット１２３の全波長域における透過率は７０％より大きくなる。ここで、いずれか２つの隣り合う第１ワイヤグリッドユニット１２０、第２ワイヤグリッドユニット１２１、第３ワイヤグリッドユニット１２２、および第４ワイヤグリッドユニット１２３間のブラックマトリクスユニット１２ｂの幅は同じである。
【００２４】
また、本実施例の表示装置はさらにＯＣ平坦化層８を備え、それはワイヤグリッド層１２と液晶層３との間に位置し、ＯＣ平坦化層８は、ワイヤグリッド層１２の上面を覆っており、ワイヤグリッド層１２の上面の平滑性を向上させるとともに、液晶層３に対する汚染防止の作用をきたすために用いられる。
【００２５】
本実施例の各ワイヤグリッド構造１２ａにおける第１ワイヤグリッドユニット１２０、第２ワイヤグリッドユニット１２１、第３ワイヤグリッドユニット１２２、および第４ワイヤグリッドユニット１２３の配列方式は、実際の表示ニーズに基づいて設定することができ、図３では例を挙げて示しているが、これに限定されるものではない。
【００２６】
次に、ワイヤグリッド層１２の材質をアルミニウムとし、ワイヤグリッド層１２の高さを固定した場合を例に挙げ、各ワイヤグリッドユニットのグリッド間隔、ワイヤグリッド１００の幅を変更することにより、Ｒサブ画素、Ｇサブ画素、およびＢサブ画素で合成された白色光の色度座標と、Ｗサブ画素の白色光の色度座標とを整合させる過程を具体的に説明する。
【００２７】
図５に示すように、全整合過程は下記ステップを含む。
【００２８】
ステップＳ１：第１ワイヤグリッドユニット１２０の赤色光波長域に対応する中心ピーク箇所の透過率が７０％より大きく、波長域外の最低透過率が１０％未満となる第１パラメータ範囲と、第２ワイヤグリッドユニット１２１の緑色光波長域に対応する中心ピーク箇所の透過率が７０％より大きく、波長域外の最低透過率が１０％未満となる第２パラメータ範囲と、第３ワイヤグリッドユニット１２２の青色光波長域に対応する中心ピーク箇所の透過率が７０％より大きく、波長域外の最低透過率が１０％未満となる第３パラメータ範囲と、第４ワイヤグリッドユニット１２３の可視光に対応する全波長域の透過率が７０％より大きくなる第４パラメータ範囲とを選択する。このパラメータには、ワイヤグリッドユニットのワイヤグリッドの周期およびデューティ比が含まれ、ここで、デューティ比とは、ワイヤグリッド１００の幅とワイヤグリッドの周期との比を意味する。
【００２９】
ステップＳ２：第１、第２、第３パラメータ範囲から異なるパラメータを選択し、Ｒサブ画素、Ｇサブ画素、およびＢサブ画素が、選択されたパラメータ下で合成した白色光の色度座標の、様々なグレースケールにおける色度座標変化曲線を演算することで、Ｒサブ画素、Ｇサブ画素、およびＢサブ画素の、第１、第２、第３パラメータ範囲における第１色度座標変化曲線の集合を得る。
【００３０】
ステップＳ３：第４パラメータ範囲から異なるパラメータを選択し、Ｗサブ画素の、選択されたパラメータ下における白色光の、様々なグレースケールにおける色度座標変化曲線を演算することで、Ｗサブ画素の第４パラメータ範囲における第２色度座標変化曲線の集合を得る。
【００３１】
ステップＳ４：第１色度座標変化曲線の集合と第２色度座標変化曲線の集合のうち、偏差が最小の２つの色度座標変化曲線に対応するパラメータを、第１ワイヤグリッドユニット１２０、第２ワイヤグリッドユニット１２１、第３ワイヤグリッドユニット１２２、および第４ワイヤグリッドユニット１２３のワイヤグリッドパラメータとして選択することで、Ｒサブ画素、Ｇサブ画素、およびＢサブ画素で合成される白色光の色度座標と、Ｗサブ画素の白色光の色度座標との整合を実現する。
【００３２】
各ワイヤグリッドユニットのグリッド間隔、ワイヤグリッドの幅、ワイヤグリッドの高さ、およびワイヤグリッドの材質を変更することにより、異なる色の光が得られるとともに、各ワイヤグリッドユニットの光透過率を向上させることができ、また、Ｒサブ画素、Ｇサブ画素、およびＢサブ画素で合成される白色光の色度座標と、Ｗサブ画素の白色光の色度座標とを整合させることで、表示装置の白色点がドリフトする現象を改善することができる。
【実施例２】
【００３３】
図６に示すように、本実施例の実施例１とは異なる点は、フィルタ１が、ＴＦＴアレイ７と下偏光板６との間に位置し、ワイヤグリッド層１２が、誘電体層１１とＴＦＴアレイ７との間に位置することである。
【００３４】
本実施例の表示装置は、実施例１における表示装置の性能を有する以外に、フィルタ１をＴＦＴアレイ７と下偏光板６との間に設置することで、実施例１の表示装置におけるＯＣ平坦化層８を省略することができ、ＴＦＴアレイによりフィルタ１を液晶層３から遠ざけ、ワイヤグリッド層１２による液晶層３に対する汚染を回避している。
【００３５】
上記内容は本願の具体的な実施形態であるに過ぎず、指摘しておくが、当業者は、本願の原理を逸脱することなく、いくつかの改良や補整を施すことができ、こうした改良や補整も本願の保護範囲に含まれるものと見なされるべきである。
【図１】
2019526831.tif 000003
【図２】
2019526831.tif 000004
【図３】
2019526831.tif 000005
【図４】
2019526831.tif 000006
【図５】
2019526831.tif 000007
【図６】
2019526831.tif 000008
【国際調査報告】
2019526831.tif 000009
2019526831.tif 000010
2019526831.tif 000011
2019526831.tif 000012